(57)【要約】【課題】本発明の解決しようとする課題は、紐状の製品を効率的に収納でき、外観的にも優れ、しかも包装体を立てて陳列することもできるシュリンクフィルム付台紙を提案するものである。【解決手段】台紙と、台紙に固定された筒状のシュリンクフィルムと、紐状の製品を巻きつけるための巻芯とから構成されるシュリンクフィルム付台紙であって、前記巻芯は、三角筒状であって、台紙に接する底面と山型をなす２つの斜面を有し、底面と斜面が交わる稜線には、底面から延設された複数の円弧状の突起を有することを特徴とするシュリンクフィルム付台紙である。【選択図】図１
2018016333.tif 000002
【特許請求の範囲】
【請求項１】
台紙と、台紙に固定された筒状のシュリンクフィルムと、紐状の製品を巻きつけるための巻芯とから構成されるシュリンクフィルム付台紙であって、前記巻芯は、三角筒状であって、台紙に接する底面と山型をなす２つの斜面を有し、底面と斜面が交わる稜線には、底面または斜面から延設された複数の円弧状の突起を有することを特徴とするシュリンクフィルム付台紙。
【請求項２】
前記巻芯の円弧状の突起は、底面と斜面とが交わる稜線となるべき山折罫線に沿って設けられた複数の円弧状の切り込み線が、前記山折罫線が折られることによって、稜線から突出して形成されることを特徴とする請求項１に記載のシュリンクフィルム付台紙。
【請求項３】
前記三角筒状の巻芯は、中央部の断面が台形状であることを特徴とする請求項１または２に記載のシュリンクフィルム付台紙。
【発明の詳細な説明】
【技術分野】
【０００１】
本発明は、紐状の製品を固定して包装し、店頭において陳列、販売するためのシュリンクフィルム付台紙に関するものである。
【背景技術】
【０００２】
表示やデザインを印刷した台紙とともに、被包装物である製品を、見えるように収納した包装形態としては、熱成形したプラスチックシートに被包装物を収納して台紙で塞ぐ、ブリスター包装や、台紙の上に被包装物を載せて、上から加熱したフィルムで直接包装する、スキンパックがある。
【０００３】
また、紙、合成樹脂、或いは金属板からなるカードに被包装物を当該して、これらを、筒状の合成樹脂の熱収縮性の皮膜（シュリンクフィルム）で被覆し、皮膜を加熱して熱収縮せしめ、全体を緊密一体的に被着させた、カード包装がある。
【０００４】
カード包装の一形態として提案されたシュリンクフィルム付台紙は、予め筒状のシュリンクフィルムを台紙に取り付けておき、製品をシュリンクフィルムに挿入して熱収縮させるだけで済むものである。しかしシュリンクフィルム付台紙においては、手作業でシュリンクフィルムを開いて、製品を挿入する必要があり、つぶされた状態のシュリンクフィルムを開くのに手間がかかっていた。
【０００５】
特許文献１に記載されたシュリンクフィルム付台紙は、この筒状のシュリンクフィルムを開く手間を省くために、台紙を前パネルと後パネルに分け、この間にシュリンクフィルムを配置し、シュリンクフィルムが前パネルと後パネルに部分接着されていることを特徴とするものである。
【先行技術文献】
【特許文献】
【０００６】
【特許文献１】特開２０１３−８２４６０号公報
【発明の概要】
【発明が解決しようとする課題】
【０００７】
特許文献１に記載されたシュリンクフィルム付台紙は、シュリンクフィルムを開くには、便利であるが、紐状の製品のように、腰のない製品を挿入するには、不向きであった。また、包装体を立てて陳列することができなかった。
【０００８】
本発明の解決しようとする課題は、紐状の製品を効率的に収納でき、外観的にも優れ、しかも包装体を立てて陳列することもできるシュリンクフィルム付台紙を提案するものである。
【課題を解決するための手段】
【０００９】
上記の課題を解決するための手段として、請求項１に記載の発明は、台紙と、台紙に固定された筒状のシュリンクフィルムと、紐状の製品を巻きつけるための巻芯とから構成されるシュリンクフィルム付台紙であって、前記巻芯は、三角筒状であって、台紙に接する底面と山型をなす２つの斜面を有し、底面と斜面が交わる稜線には、底面または斜面から延設された複数の円弧状の突起を有することを特徴とするシュリンクフィルム付台紙である。
【００１０】
本発明に係るシュリンクフィルム付台紙は、三角筒状の巻芯を有し、三角筒の底面と斜面が交わる稜線に、底面または斜面から延設された複数の円弧状の突起を設けたので、紐状の製品を巻き付けた時に、ずれたりせずに、綺麗に巻き付けることができ、また突起が円弧状であるため、シュリンクフィルムが収縮する時に、破れたりすることがない。
【００１１】
また、請求項２に記載の発明は、前記巻芯の円弧状の突起が、底面と斜面とが交わる稜線となるべき山折罫線に沿って設けられた複数の円弧状の切り込み線が、前記山折罫線が折られることによって、稜線から突出して形成されることを特徴とする請求項１に記載のシュリンクフィルム付台紙である。
【００１２】
また、請求項３に記載の発明は、前記三角筒状の巻芯は、中央部の断面が台形状であることを特徴とする請求項１または２に記載のシュリンクフィルム付台紙である。
【発明の効果】
【００１３】
本発明に係るシュリンクフィルム付台紙は、紐状の製品を三角筒状の巻芯に巻き付けて、外観良く収納することができる。また三角筒状の巻芯は、台紙に接する底面と山型をなす２つの斜面を有し、底面と斜面が交わる稜線には、底面または斜面から延設された複数の円弧状の突起を有するので、紐状の製品を巻き付ける時に、ずれたりすることがなく、綺麗に巻ける。
【００１４】
また、突起は巻芯の底面と斜面が交わる稜線に設けられているので、シュリンク包装した時に、台紙に密着しやすく、外観良く包装できる。また突起は円弧状であるため、フィルムが引っ掛かって破れるような事が生じ難い。
【００１５】
請求項２に記載の発明のように、巻芯の円弧状の突起を、底面と斜面とが交わる稜線となるべき山折罫線に沿って設けられた複数の円弧状の切り込み線が、前記山折罫線が折られることによって、稜線から突出して形成されるようにした場合には、平面状の厚紙を山折罫線に沿って折るだけの簡単な操作で、目的とする巻芯を準備することができる。
【００１６】
また、請求項３に記載の発明のように、三角筒状の巻芯の、中央部の断面を台形状とした場合には、紐状の製品が巻芯の中央部においては、水平の状態で観察されるため、展示効果が高まる。また、シュリンク包装した時に、三角筒状の場合に比較して、締め付ける力が集中せず、製品に対するダメージが少ない。またさらに、巻芯の中央部よりも上下端の方が高くなっているので、製品を保護する効果がある。
【図面の簡単な説明】
【００１７】
【図１】図１は、本発明に係るシュリンクフィルム付台紙を用いた包装体の斜視図である。
【図２】図２は、図１のＡ−Ａ‘断面を示した断面模式図である。
【図３】図３は、図１に示されたシュリンクフィルム付台紙の、台紙とシュリンクフィルムを固定した状態を示した平面模式図である。
【図４】図４は、本発明に係るシュリンクフィルム付台紙の構成要素である三角筒状の巻芯の一実施態様を示した斜視図である。
【図５】図５は、図４に示した巻芯のブランクを示した平面模式図である。
【図６】図６は、三角筒状の巻芯の他の実施態様を示した斜視図である。
【図７】図７は、請求項３に記載の発明における三角筒状の巻芯の実施態様を示した斜視図である。
【発明を実施するための形態】
【００１８】
以下図面を参照しながら、本発明に係るシュリンクフィルム付台紙について詳細に説明する。図１は、本発明に係るシュリンクフィルム付台紙１を用いた包装体２０の斜視図である。また、図２は、図１のＡ−Ａ‘断面を示した断面模式図である。
【００１９】
本発明に係るシュリンクフィルム付台紙１は、台紙２と、台紙に固定された筒状のシュリンクフィルム３と、紐状の製品１３を巻きつけるための巻芯４とから構成されるシュリンクフィルム付台紙である。
【００２０】
巻芯４は、三角筒状であって、台紙２に接する底面５と山型をなす２つの斜面６を有し、底面５と斜面６が交わる稜線７には、底面５または斜面６から延設された複数の円弧状の突起９を有することを特徴とする。図１に示した例では、複数の円弧状の突起９は、底面５から延設されている。
【００２１】
図３は、図１に示されたシュリンクフィルム付台紙の、台紙２とシュリンクフィルム３を固定した状態を示した平面模式図である。この例では、筒状のシュリンクフィルム３は、接着剤１０によって、台紙２に固定されている。
【００２２】
この筒状のシュリンクフィルム３の中に、予め紐状の製品１３を巻き付けた三角筒状の巻芯４を挿入し、全体をシュリンクトンネルに通過させて加熱すると、シュリンクフィルムが収縮して、紐状の製品と巻芯とが、台紙に強固に固定される。
【００２３】
図４は、本発明に係るシュリンクフィルム付台紙１の構成要素である三角筒状の巻芯４の一実施態様を示した斜視図である。また、図５は、図４に示した巻芯４のブランク４Ｂを示した平面模式図である。
【００２４】
この例では、巻芯４の円弧状の突起９は、底面５と斜面６とが交わる稜線７となるべき山折罫線１２に沿って設けられた複数の円弧状の切り込み線８が、山折罫線１２が折られることによって、稜線７から突出して形成されることを特徴とする。
【００２５】
このようにしたことにより、巻芯のブランク４Ｂを３本の山折罫線１２に沿って折るだけの操作で、底面５から延設された円弧状の突起９が自動的に形成される。
【００２６】
稜線７に円弧状の突起９が複数存在することで、巻芯４に紐状の製品１３を巻き付けたときに、巻がずれたりすることがなくなる。また、突起の先端が円弧状で滑らかであるため、シュリンクフィルム３を収縮させたときに、シュリンクフィルム３が破れたりすることがない。
【００２７】
図１に示した包装体２０は、台紙２に設けた吊下げ孔１１を用いて、展示台のフックに引っ掛けることもできるし、図１に示したように、巻芯４と台紙２の下端面を揃えて包装することで、立てて展示することも可能となる。
【００２８】
また、三角筒状の巻芯４は、紐状の製品１３を外した時に、自然に展開するように、接着剤等を用いないことも可能であり、その場合には、巻芯の外面のみならず内面にも各種情報を記載することができ、表示面積の増大につながる。
【００２９】
またさらに、三角筒状の巻芯４の内部は中空であるから、ここに付属品や取扱説明書などを挿入することもできる。この場合、筒状の巻芯には、蓋を設けてもよい。
【００３０】
図６は、三角筒状の巻芯４の他の実施態様を示した斜視図である。この例では、斜面６を形成する板と、底面５を形成する板とが、別の部材からなり、底面板には、左右両端に、円弧状の突起９が複数形成されている。斜面を形成する板と底面を形成する板とは、接着剤等によって接着してもよいし、差込突起を切込みに挿入するなどして一体化してもよい。
【００３１】
図７は、請求項３に記載の発明における三角筒状の巻芯の実施態様を示した斜視図である。この例では、巻芯４の上部と下部は三角筒状であるが、中央部は、断面が台形状となっている。
【００３２】
この台形形状は、二つの斜面６に設けられた６本の山折罫線１２と、２本の谷折罫線１４によってもたらされている。
【００３３】
このように三角筒状の巻芯の、中央部の断面を台形状とした場合には、紐状の製品が巻芯の中央部においては、水平の状態で観察されるため、展示効果が高まる。また、シュリンク包装した時に、三角筒状の場合に比較して、締め付ける力が集中せず、製品に対するダメージが少ない。またさらに、巻芯の中央部よりも上下端の方が高くなっているので、製品を保護する効果がある。
【００３４】
また、巻芯の中央部は上面が平坦になっているので、この部分に表示を行った場合には、表示を読みやすいという長所もある。
【００３５】
本発明に係るシュリンクフィルム付台紙に用いる台紙２としては、紙、プラスチックシート、金属板などの板状のものが使用できる。紙としては、厚紙で腰のあるものであれば、特に限定されない。また、表面にアルミニウム蒸着層のあるアルミ蒸着紙なども使用できる。
【００３６】
シュリンクフィルム３には、熱で収縮するフィルムであればよく、また、筒が細くなる方向の収縮量が、筒が短くなる方向の収縮量より大きいフィルムが、シュリンク包装を行う際の収縮時に製品がシュリンクフィルムから外れ難く、本用途には適している。
【００３７】
シュリンクフィルム３の材質としては、ポリスチレン樹脂、ポリ塩化ビニル樹脂、ポリプロピレン樹脂、ポリエチレン樹脂、ポリエステル樹脂等が用いられる。これらの樹脂フィルムを太さ方向に延伸して冷却したチューブは、被包装物である製品を挿入してシュリンクトンネルなどで１００℃程度に加熱してやると、収縮して製品をしっかりと保持する働きをする。
【００３８】
シュリンクフィルム３を台紙２に固定する方法としては、粘着テープなどを用いても良いが、接着剤１０を用いるのが一般的である。接着剤１０としては、加熱した状態で塗布し、接着後は、冷却することにより、即座に固化して接着力を発揮するホットメルト型接着剤が好ましく使用できる。
【００３９】
ホットメルト型接着剤の中でも、反応型ホットメルト接着剤は、固化後に空気中の湿気と反応して硬化し、硬化後は、再加熱しても溶融しなくなるので、本発明のように、シュリンクトンネルで加熱されるような用途には最も好ましく使用できる。
【符号の説明】
【００４０】
１・・・シュリンクフィルム付台紙
２・・・台紙
３・・・シュリンクフィルム
４・・・巻芯
４Ｂ・・・巻芯のブランク
５・・・底面
６・・・斜面
７・・・稜線
８・・・円弧状の切り込み線
９・・・円弧状の突起
１０・・・接着剤
１１・・・吊下げ孔
１２・・・山折罫線
１３・・・紐状の製品
１４・・・谷折罫線
２０・・・包装体
【図１】
2018016333.tif 000003
【図２】
2018016333.tif 000004
【図３】
2018016333.tif 000005
【図４】
2018016333.tif 000006
【図５】
2018016333.tif 000007
【図６】
2018016333.tif 000008
【図７】
2018016333.tif 000009